(57)【要約】【課題】スライド機構の構成を簡易なものとすることができ、且つその加工を容易なものとすることができる。【解決手段】スライド機構１０を構成するインナレール２０及びスライドテーブル３０の幅方向の両端部には断面Ｖ字状をなす屈曲部２２、３２が形成されている。これら屈曲部２２、３２は、スライドテーブル３０の幅方向外側に向けて鉛直方向に互いに近接するように傾斜する一対の傾斜部２２ａ，２２ｂ，３２ａ，３２ｂによって構成されている。また、インナレール２０の一対の傾斜部２２ａ，２２ｂとスライドテーブル３０の一対の傾斜部３２ａ，３２ｂとの対向空間Ｓには、複数のローラユニット４０が設けられている。このローラユニット４０はスライドテーブル３０のスライド方向に沿って設けられる複数のローラ４１ａからなるローラ群４１と、これらローラ群４１を保持する保持器４３とを備えている。【選択図】図４
2014019330.tif 000002
【特許請求の範囲】
【請求項１】
車両本体に固定されるレール部材と、同レール部材によりスライド可能に支持されるスライド部材とを備え、同スライド部材と共にシート本体を車両本体に対してスライドさせるスライド機構において、
前記レール部材及びスライド部材の幅方向の端部には同幅方向外側或いは内側に向けて鉛直方向に互いに近接するように傾斜する一対の傾斜部が形成され、
前記レール部材の一対の傾斜部と前記スライド部材の一対の傾斜部とは互いに対向するように設けられ、
前記レール部材と前記スライド部材との対向空間には同スライド部材をスライド可能に支持するローラユニットが設けられ、
前記ローラユニットは前記スライド部材のスライド方向に沿って設けられる複数のローラからなるローラ群と、これらローラ群を保持する保持器とを備えており、
前記レール部材の少なくとも一方の傾斜部と当該傾斜部に対向する前記スライド部材の傾斜部との対向空間に前記ローラ群及び保持器が設けられている、
ことを特徴とするスライド機構。
【請求項２】
前記レール部材の一対の傾斜部と前記スライド部材の一対の傾斜部との対向空間に前記ローラ群及び保持器がそれぞれ設けられている、
請求項１に記載のスライド機構。
【請求項３】
前記レール部材及びスライド部材の幅方向の端部には断面Ｖ字状をなす屈曲部が形成され、
前記屈曲部は前記一対の傾斜部によって構成される、
請求項２に記載のスライド機構。
【請求項４】
前記保持器は断面Ｖ字状をなすとともに前記レール部材の一対の傾斜部と前記スライド部材の一対の傾斜部とによって区画される前記対向空間に設けられる一対のローラ群を保持している、
請求項３に記載のスライド機構。
【請求項５】
前記レール部材の一対の傾斜部は前記スライド部材の一対の傾斜部により前記幅方向外側から覆われている、
請求項１〜請求項４のいずれか一項に記載のスライド機構。
【請求項６】
請求項１〜請求項５のいずれか一方に記載のスライド機構において、
前記レール部材と前記スライド部材との双方は、前記レール部材に対して、前記スライド方向に直交する平面に沿った方向へスライド部材が変位することを規制する規制部材によって外側から覆われている、
ことを特徴とするスライド機構。
【請求項７】
前記レール部材の端部及びスライド部材の端部は共に鉛直方向においてこれらレール部材の本体とスライド部材の本体との間に位置しており、
前記規制部材は前記レール部材の端部と前記スライド部材の端部との双方を覆うように屈曲しており、前記レール部材及びスライド部材において前記幅方向外側に位置するものの本体を外側から覆っている、
請求項６に記載のスライド機構。
【発明の詳細な説明】
【技術分野】
【０００１】
本発明は、車両のシート装置に適用され、シート本体を車両本体に対してスライドさせるスライド機構に関する。
【背景技術】
【０００２】
従来、例えば特許文献１に記載のスライド機構がある。特許文献１に記載のスライド機構は、車両本体に固定されるとともに車両前後方向に延びる左右一対のレール部材（ガイド部材）と、これら一対のレール部材によりスライド可能に支持されるスライド部材とを備えており、スライド部材と共にシート本体が車両本体に対してスライドされる。具体的には、これら一対のレール部材において互いに対向する側面には、車両前後方向に沿って延びる溝が形成されており、これら溝にはスライド部材の両端縁部が挿入されている。また、スライド部材の両端縁部と、レール部材の溝の上側角部及び下側角部との間にはスライド部材を支持するボールが介設されている。ここで、スライド部材の両端縁部には上下一対のボールの位置決めを行なうための上下一対の受け面がそれぞれ形成されている。
【０００３】
こうしたスライド機構によれば、レール部材の溝の上下の角部とスライド部材の両端縁部に形成された上下一対の受け面とによって上下一対のボールの位置を適切に設定することで、スライド部材のがたを低減させることができる。
【先行技術文献】
【特許文献】
【０００４】
【特許文献１】特開２００３―８０９８１号公報
【発明の概要】
【発明が解決しようとする課題】
【０００５】
ところで、上記特許文献１に記載のスライド機構においては、レール部材の溝の内面とスライド部材の両端縁部との間に寸法誤差が生じると、レール部材及びスライド部材とボールとの間にがたが生じる。そのため、レール部材の溝の内面及びスライド部材の両端縁部の加工には高い精度が求められ、当該加工が手間のかかるものとなる。
【０００６】
加えて、レール部材の溝の内面及びスライド部材の両端縁部とボールとの間の接触状態が点接触となるとこれら内面や両端縁部にボールの打痕が付きやすい。そのため、こうした不都合を避けるためには、レール部材の溝の内面やスライド部材の両端縁部に対してボールの一部を収容する凹溝を形成する必要が生じる。そのため、この場合においても、当該加工が手間のかかるものとなる。
【０００７】
更に、こうした凹溝を形成する場合には、レール部材の溝の内面やスライド部材の両端縁部に対して窒化加工等の硬化処理を施すことが考えられる。しかしながらこの場合においても当該処理が手間のかかるものとなる。
【０００８】
本発明の目的は、スライド機構の構成を簡易なものとすることができ、且つその加工を容易なものとすることのできるスライド機構を提供することにある。
【課題を解決するための手段】
【０００９】
上記目的を達成するため、本発明に従うスライド機構は、車両本体に固定されるレール部材と、同レール部材によりスライド可能に支持されるスライド部材とを備え、同スライド部材と共にシート本体を車両本体に対してスライドさせる。また、前記レール部材及びスライド部材の幅方向の端部には同幅方向外側或いは内側に向けて鉛直方向に互いに近接するように傾斜する一対の傾斜部が形成され、前記レール部材の一対の傾斜部と前記スライド部材の一対の傾斜部とは互いに対向するように設けられ、前記レール部材と前記スライド部材との対向空間には同スライド部材をスライド可能に支持するローラユニットが設けられ、前記ローラユニットは前記スライド部材のスライド方向に沿って設けられる複数のローラからなるローラ群と、これらローラ群を保持する保持器とを備えており、前記レール部材の少なくとも一方の傾斜部と当該傾斜部に対向する前記スライド部材の傾斜部との対向空間に前記ローラ群及び保持器が設けられている。
【００１０】
同態様によれば、スライド部材はレール部材の少なくとも一方の傾斜部と当該傾斜部に対向する同スライド部材の傾斜部との対向空間に設けられるローラ群を介して同レール部材によってスライド可能に支持される。このため、レール部材及びスライド部材の寸法精度のばらつきがある程度大きい場合であっても、レール部材の一対の傾斜部とスライド部材の一対の傾斜部とが適宜、弾性変形することによって当該ばらつきが吸収される。よって、スライド部材がレール部材に対して円滑にスライドされる。従って、スライド機構の構成を簡易なものとすることができ、且つその加工を容易なものとすることができる。
【００１１】
この場合、前記レール部材の一対の傾斜部と前記スライド部材の一対の傾斜部との対向空間に前記ローラ群及び保持器がそれぞれ設けられている、といった態様が好ましい。
同態様によれば、スライド部材はその一対の傾斜部と、これに対向するレール部材の一対の傾斜部との対向空間に設けられるローラ群を介して同レール部材によってスライド可能に支持される。このため、レール部材及びスライド部材の寸法精度のばらつきがある程度大きい場合であっても、レール部材の一対の傾斜部とスライド部材の一対の傾斜部とが適宜、弾性変形することによって当該ばらつきが一層好適に吸収される。よって、スライド部材がレール部材に対して一層円滑にスライドされる。
【００１２】
この場合、前記レール部材及びスライド部材の幅方向の端部には断面Ｖ字状をなす屈曲部が形成され、前記屈曲部は前記一対の傾斜部によって構成される、といった態様が好ましい。
【００１３】
同態様によれば、例えば折り曲げ加工によってレール部材における一対の傾斜部及びスライド部材における一対の傾斜部を容易に形成することができる。
この場合、前記保持器は断面Ｖ字状をなすとともに前記レール部材の一対の傾斜部と前記スライド部材の一対の傾斜部とによって区画される前記対向空間に設けられる一対のローラ群を保持している、といった態様が好ましい。
【００１４】
同態様によれば、保持器が断面Ｖ字状をなすとともに対向空間に設けられる一対のローラ群を保持するものとされるため、保持器の部品点数を低減することができる。また、保持器が対向空間において安定して収容されることとなるため、一対のローラ群によってスライド部材を安定してスライドさせることができる。
【００１５】
また、前記レール部材の一対の傾斜部は前記スライド部材の一対の傾斜部により前記幅方向外側から覆われている、といった態様が好ましい。
同態様によれば、レール部材とスライド部材とによって区画される対向空間の上部がスライド部材によって覆われることから、上記対向空間に異物が入り込むことを抑制することができる。
【００１６】
また、前記レール部材と前記スライド部材との双方は、前記レール部材に対して、前記スライド方向に直交する平面に沿った方向へスライド部材が変位することを規制する規制部材によって外側から覆われている、といった態様が好ましい。
【００１７】
同態様によれば、規制部材によってレール部材とスライド部材との双方が外側から覆われることで、レール部材に対して、スライド部材が上記平面に沿った方向へ変位することが規制される。このため、スライド部材に対して大きな外力が作用した場合であっても、レール部材からスライド部材が外れてしまうことを好適に抑制することができる。
【００１８】
この場合、前記レール部材の端部及びスライド部材の端部は共に鉛直方向においてこれらレール部材の本体とスライド部材の本体との間に位置しており、前記規制部材は前記レール部材の端部と前記スライド部材の端部との双方を覆うように屈曲しており、前記レール部材及びスライド部材において前記幅方向外側に位置するものの本体を外側から覆っている、といった態様が好ましい。
【００１９】
同態様によれば、規制部材がレール部材の本体及びスライド部材の本体の双方を外側から覆うものとされる構成に比べて、スライド機構の鉛直方向における厚みを小さくすることができる。
【図面の簡単な説明】
【００２０】
【図１】本発明の第１実施形態に係るスライド機構が適用される車両におけるシートの配置状態の一例を示す模式図。
【図２】同実施形態における助手席シートが車外に降下された状態のシート装置の側面図。
【図３】同実施形態のスライド機構の断面構造を示す断面図。
【図４】同実施形態のスライド機構の幅方向における一端の断面構造を拡大して示す拡大断面図。
【図５】同実施形態における保持器の斜視構造を示す斜視図。
【図６】同実施形態におけるローラユニットの断面構造を示す断面図。
【図７】本発明の第２実施形態に係るスライド機構の幅方向における一端の断面構造を拡大して示す拡大断面図。
【図８】本発明の変形例に係るスライド機構の幅方向における一端の断面構造を拡大して示す拡大断面図。
【図９】本発明の他の変形例に係るスライド機構の幅方向における一端の断面構造を拡大して示す拡大断面図。
【図１０】本発明の他の変形例に係るスライド機構の幅方向における一端の断面構造を拡大して示す拡大断面図。
【図１１】本発明の他の変形例に係るスライド機構の幅方向における一端の断面構造を拡大して示す拡大断面図。
【図１２】本発明の他の変形例に係るスライド機構の幅方向における一端の断面構造を拡大して示す拡大断面図。
【発明を実施するための形態】
【００２１】
＜第１実施形態＞
以下、図１〜図６を参照して、本発明を具体化した第１実施形態について説明する。
図１及び図２に示すように、車両の助手席には、シート本体３をスライドさせる機能、車両本体１に対してシート本体３を回転させる機能、及びシート本体３を昇降させる機能の３つの機能を備えるシート装置２が設けられている。
【００２２】
図２に示すように、シート装置２は、車両本体１に固定されたインナレール２０と、このインナレール２０上にスライド可能に支持されたスライドテーブル３０とを備えている。
【００２３】
また、シート装置２は、スライドテーブル３０上に回転可能に支持されたターンテーブル５と、このターンテーブル５上に設けられてシート本体３を昇降させる昇降機構４とを備えている。昇降機構４によって図中に実線にて示す状態と一点鎖線にて示す状態との間でシート本体３が昇降される。
【００２４】
次に、図３及び図４を参照して、スライド機構１０の構造について詳細に説明する。
図３に示すように、インナレール２０は、車両本体１のフロアパネルに固定された平板状のレール本体２１と、このレール本体２１の幅方向（図３及び図４における左右方向）の両端から屈曲して上方に延びる延設部２３と、この延設部２３の上端から屈曲して斜め上方に延びるとともに断面横Ｖ字状をなす屈曲部２２とを有している。
【００２５】
従って、図４に示すように、屈曲部２２は、鉛直方向に沿って設けられる一対の傾斜部（下側傾斜部２２ａ、上側傾斜部２２ｂ）によって構成され、これら傾斜部２２ａ，２２ｂは幅方向外側に向けて鉛直方向に互いに近接するように傾斜している。
【００２６】
図３に示すように、スライドテーブル３０は、平板状のテーブル本体３１と、このテーブル本体３１の幅方向（図３及び図４における左右方向）の両端から屈曲して斜め下方に延びるとともに断面横Ｖ字状をなす屈曲部３２とを有している。
【００２７】
従って、図４に示すように、屈曲部３２は、鉛直方向に沿って設けられる一対の傾斜部（下側傾斜部３２ａ、上側傾斜部３２ｂ）によって構成され、これら傾斜部３２ａ，３２ｂは幅方向外側に向けて鉛直方向に互いに近接するように傾斜している。
【００２８】
インナレール２０及びスライドテーブル３０はそれらの一対の傾斜部２２ａ，２２ｂ，３２ａ，３２ｂが互いに対向している。すなわち、インナレール２０の一対の傾斜部２２ａ，２２ｂはスライドテーブル３０の一対の傾斜部３２ａ，３２ｂによりスライドテーブル３０の幅方向外側から覆われている。
【００２９】
ちなみに、インナレール２０及びスライドテーブル３０は共に金属材料（例えば鉄系材料）製の板材を折り曲げ加工することによって形成されている。
図４に示すように、インナレール２０の一対の傾斜部２２ａ，２２ｂとスライドテーブル３０の一対の傾斜部３２ａ，３２ｂとの対向空間Ｓには、ローラユニット４０が設けられている。
【００３０】
インナレール２０の下側傾斜部２２ａとスライドテーブル３０の下側傾斜部３２ａとの間にはスライドテーブル３０のスライド方向（図４の紙面に対して直交する方向）に沿って複数のローラ４１ａからなるローラ群４１が設けられている。
【００３１】
また、インナレール２０の上側傾斜部２２ｂとスライドテーブル３０の上側傾斜部３２ｂとの間にはスライドテーブル３０のスライド方向に沿って複数のローラ４１ａからなるローラ群４１が設けられている。
【００３２】
また、これらローラ群４１は保持器４３によって保持されている。
ここで、図５及び図６を参照して、ローラユニット４０の構造について説明する。
図５に示すように、保持器４３は平板状の下側部４４と、この下側部４４から屈曲した平板状の上側部４６とを有しており、断面横Ｖ字状をなしている。また、これら下側部４４及び上側部４６にはスライド方向に沿って複数の収容孔４５が形成されている。
【００３３】
図６に示すように、収容孔４５の内側面４５ａは、ローラ４１ａの外周面に沿った断面円弧状をなしている。また、保持器４３は耐摩耗性に優れた硬質合成樹脂製の弾性部材によって形成されており、収容孔４５の縁部を弾性変形させることにより収容孔４５内にローラ４１ａが挿入可能とされる一方、収容孔４５内からローラ４１ａが抜け出すことが収容孔４５の縁部によって抑制される。
【００３４】
こうしたスライド機構１０の組み付けに際しては、スライドテーブル３０のスライド方向における一端側から、同スライドテーブル３０の一対の傾斜部３２ａ，３２ｂとインナレール２０の一対の傾斜部２２ａ，２２ｂとの間にローラユニット４０が挟み込まれるようにして、インナレール２０の一端をスライドさせて嵌め込む。
【００３５】
次に、本実施形態のスライド機構１０の作用について説明する。
スライドテーブル３０はその一対の傾斜部３２ａ，３２ｂと、これに対向するインナレール２０の一対の傾斜部２２ａ，２２ｂとの間に設けられるローラユニット４０を介してインナレール２０によってスライド可能に支持される。このため、インナレール２０及びスライドテーブル３０の寸法精度のばらつきがある程度大きい場合であっても、インナレール２０とスライドテーブル３０とが適宜、弾性変形することによって当該ばらつきが吸収される。よって、スライドテーブル３０に対してスライドさせる力が作用すると、ローラ４１ａが回転することによって、スライドテーブル３０がインナレール２０に対して円滑にスライドされる。
【００３６】
このとき、ローラ４１ａはスライドテーブル３０の一対の傾斜部３２ａ，３２ｂと、インナレール２０の一対の傾斜部２２ａ，２２ｂとに対して線接触しているため、これら一対の傾斜部がボールによって支持される場合とは異なり、スライドテーブル３０及びインナレール２０が広い面積によってローラ４１ａからの荷重を受ける。従って、スライドテーブル３０及びインナレール２０にローラ４１ａの打痕がつくことはほとんどない。このため、スライドテーブル３０及びインナレール２０の表面に対して窒化加工等の硬化処理を行なわなくとも済む。
【００３７】
以上説明した本実施形態に係るスライド機構によれば、以下に示す効果が得られるようになる。
（１）インナレール２０及びスライドテーブル３０の幅方向の両端部には断面Ｖ字状をなす屈曲部２２、３２が形成されている。これら屈曲部２２、３２は、スライドテーブル３０の幅方向外側に向けて鉛直方向に互いに近接するように傾斜するとともに設けられる一対の傾斜部２２ａ，２２ｂ，３２ａ，３２ｂによって構成されている。すなわち、インナレール２０の一対の傾斜部２２ａ，２２ｂとスライドテーブル３０の一対の傾斜部３２ａ，３２ｂとが互いに対向するように設けられている。また、インナレール２０の一対の傾斜部２２ａ，２２ｂとスライドテーブル３０の一対の傾斜部３２ａ，３２ｂとの対向空間Ｓにはローラユニット４０が設けられている。このローラユニット４０はスライドテーブル３０のスライド方向に沿って設けられる複数のローラ４１ａからなるローラ群４１と、これらローラ群４１を保持する保持器４３とを備えている。こうした構成によれば、スライド機構１０の構成を簡易なものとすることができ、且つその加工を容易なものとすることができる。また、スライド機構１０の各部の摩耗の発生を好適に抑制することができる。また、ボルトを用いることなくスライド機構１０を具現化することができる。
【００３８】
（２）保持器４３は断面Ｖ字状をなすとともにインナレール２０の一対の傾斜部２２ａ，２２ｂとスライドテーブル３０の一対の傾斜部３２ａ，３２ｂとによって区画される対向空間Ｓに設けられる一対のローラ群４１を保持している。こうした構成によれば、保持器４３が対向空間Ｓにおいて安定して収容されることとなるため、一対のローラ群４１によってスライドテーブル３０、ひいてはシート本体３を安定してスライドさせることができる。
【００３９】
（３）インナレール２０の一対の傾斜部２２ａ，２２ｂはスライドテーブル３０の一対の傾斜部３２ａ，３２ｂによりスライドテーブル３０の幅方向外側から覆われている。こうした構成によれば、インナレール２０とスライドテーブル３０とによって区画される対向空間Ｓの上部がスライドテーブル３０によって覆われているから、上記対向空間Ｓに異物が入り込むことを抑制することができる。
【００４０】
＜第２実施形態＞
以下、図７を参照して、本発明を具体化した第２実施形態について説明する。
本実施形態では、インナレール３２０とスライドテーブル３０との双方を外側から覆う規制部材３５０が設けられている点が先の第１実施形態と相違している。
【００４１】
以下、第１実施形態との相違点を中心に説明する。尚、スライドテーブル３０及びローラユニット４０の構成は先の第１実施形態の構成と同一であるため、これらに関しての重複する説明を省略する。
【００４２】
図７に示すように、インナレール３２０は、平板状のレール本体３２１と、このレール本体３２１の幅方向（図７における左右方向）の端部から屈曲して上方に延び、更に屈曲して幅方向外側に延びる延設部３２３と、この延設部３２３の端部から屈曲して斜め下方に延びるとともに横断面Ｖ字状をなす屈曲部３２２とを有している。この屈曲部３２２は鉛直方向に沿って設けられる一対の傾斜部（下側傾斜部３２２ａ、上側傾斜部３２２ｂ）によって構成され、これら傾斜部３２２ａ，３２２ｂは幅方向外側に向けて鉛直方向に互いに近接するように傾斜している。
【００４３】
インナレール３２０の端部及びスライドテーブル３０の端部は共に鉛直方向においてこれらインナレール３２０のレール本体３２１とスライドテーブル３０のテーブル本体３１との間に位置している。
【００４４】
規制部材３５０は、スライドテーブル３０の屈曲部３２を幅方向外側から覆う屈曲部３５１と、この屈曲部３５１の上端から屈曲して幅方向内側に延びる延設部３５２とを有している。屈曲部３５１の内側の面はスライドテーブル３０の屈曲部３２の外側の面に当接している。また、延設部３５２の下面はテーブル本体３１の上記幅方向の端部上面に当接している。
【００４５】
屈曲部３５１の下端からは折り返し部３５３が屈曲して幅方向内側に延びており、この折り返し部３５３によってインナレール３２０の屈曲部３２２の端部とスライドテーブル３０の屈曲部３２の端部との双方が覆われている。更に、折り返し部３５３はインナレール３２０の屈曲部３２２の内側に折り返されている。ここで、折り返し部３５３とインナレール３２０の屈曲部３２２との間には間隙が形成されており、規制部材３５０とインナレール３２０とは非接触とされている。
【００４６】
規制部材３５０のスライド方向における長さは、スライドテーブル３０よりも短くされている。
ちなみに、規制部材３５０は共に金属材料（例えば鉄系材料）製の板材を折り曲げ加工することによって形成されている。
【００４７】
規制部材３５０は、インナレール３２０とスライドテーブル３０とが組み付けられた組付体の上記スライド方向における一端側から外嵌される。
次に、本実施形態の作用について説明する。
【００４８】
規制部材３５０によってインナレール３２０とスライドテーブル３０との双方が外側から覆われることで、インナレール３２０に対して、スライドテーブル３０が上記平面に沿った方向へ変位することが規制される。このため、スライドテーブル３０に対して大きな外力が作用した場合であっても、インナレール３２０からスライドテーブル３０が外れてしまうことが抑制される。
【００４９】
以上説明した本実施形態に係るスライド機構によれば、先の第１実施形態の効果（１）〜（３）に加えて新たに以下に示す効果が得られるようになる。
（４）インナレール３２０とスライドテーブル３０との双方は、インナレール３２０に対して、スライド方向に直交する平面に沿った方向へスライドテーブル３０が変位することを規制する規制部材３５０によって外側から覆われている。こうした構成によれば、スライドテーブル３０に対して大きな外力が作用した場合であっても、インナレール３２０からスライドテーブル３０が外れてしまうことを好適に抑制することができる。
【００５０】
（５）インナレール３２０の端部及びスライドテーブル３０の端部は共に鉛直方向においてこれらインナレール３２０のレール本体３２１とスライドテーブル３０のテーブル本体３１との間に位置している。また、規制部材３５０はインナレール３２０の端部とスライドテーブル３０の端部との双方を外側から覆うように屈曲している折り返し部３５３を有しており、スライドテーブル３０のテーブル本体３１を外側から覆っている。こうした構成によれば、規制部材がインナレール３２０のレール本体３２１及びスライドテーブル３０のテーブル本体３１の双方を外側から覆うものとされる構成に比べて、規制部材３５０の鉛直方向における体格を小さくすることができ、ひいてはスライド機構３１０の鉛直方向における体格を小さくすることができる。
【００５１】
（６）規制部材３５０のスライド方向における長さは、スライドテーブル３０よりも短くされている。このため、規制部材３５０の追加に伴うスライド機構３１０の重量増加及び体格の増大を好適に抑制することができる。
【００５２】
＜変形例＞
尚、本発明に係るスライド機構は、上記実施形態にて例示した構成に限定されるものではなく、これを適宜変更した例えば次のような形態として実施することもできる。
【００５３】
・上記第１実施形態では、インナレール２０及びスライドテーブル３０の屈曲部２２、３２がスライドテーブル３０の幅方向外側に向けて互いに近接するように傾斜する一対の傾斜部２２ａ，２２ｂ，３２ａ，３２ｂによって構成されるものとした。また、上記第２実施形態においても第１実施形態に準じた構成とした。これに代えて、図８に示すように、インナレール４２０及びスライドテーブル４３０の屈曲部４２２、４３２が幅方向内側に向けて互いに近接するように傾斜する一対の傾斜部４２２ａ，４２２ｂ，４３２ａ，４３２ｂによって構成されるようにしてもよい。この場合、スライド機構４１０が幅方向外側に突出した構造となることを回避することができる。
【００５４】
・上記第１実施形態では、インナレール２０の一対の傾斜部２２ａ，２２ｂがスライドテーブル３０の一対の傾斜部３２ａ，３２ｂによりスライドテーブル３０の幅方向外側から覆われるスライド機構１０とした。また、上記第２実施形態及び変形例においても第１実施形態に準じた構成とした。これに代えて、図９に示すように、スライドテーブル５３０の一対の傾斜部５３２ａ，５３２ｂがアウタレール５２０（レール部材）の一対の傾斜部５２２ａ，５２２ｂによりスライドテーブル５３０の幅方向外側から覆われるスライド機構５１０とすることもできる。
【００５５】
・また、上記アウタレール５２０を流用することによって、図１０に示すスライド機構５１０とすることもできる。すなわち、図１０に示すように、スライドテーブル６３０は、平板状のレール本体６３１と、このレール本体６３１の幅方向（図１０における左右方向）の端部から屈曲して下方に延び、更に屈曲して幅方向外側に延びる延設部６３３と、この延設部６３３の端部から屈曲して斜め上方に延びるとともに断面Ｖ字状をなす屈曲部６３２とを有している。この屈曲部６３２は幅方向外側に向けて互いに近接するように傾斜する一対の傾斜部（下側傾斜部６３２ａ、上側傾斜部６３２ｂ）によって構成されている。このため、上側傾斜部６３２ｂの先端、すなわち屈曲部６３２の先端は鉛直方向において上方を指向しており、スライド方向に直交する平面（図１０の紙面に平行な平面）上においてアウタレール５２０の屈曲部５２２の端部と同一方向を指向している。
【００５６】
また、アウタレール５２０とスライドテーブル６３０との双方を外側から覆う規制部材６５０が設けられている。規制部材６５０は、アウタレール５２０の屈曲部５２２を幅方向外側から覆う屈曲部６５１と、この屈曲部６５１の下端から屈曲して下方に延び、更に屈曲して幅方向内側に延びる延設部６５２とを有している。屈曲部６５１の内側の面はアウタレール５２０の屈曲部５２２の外側の面に圧接している。また、延設部６５２の上面はアウタレール５２０のレール本体５２１の下面に圧接している。
【００５７】
また、屈曲部６５１の上端からは折り返し部６５３が屈曲して斜め幅方向内側に延びており、この折り返し部６５３によってアウタレール５２０の屈曲部５２２の端部とスライドテーブル６３０の屈曲部６３２の端部との双方が覆われている。また、折り返し部６５３はスライドテーブル６３０の屈曲部６３２の内側に折り返されている。ここで、折り返し部６５３とスライドテーブル６３０の屈曲部６３２との間には間隙が形成されている。
【００５８】
こうしたスライド機構６１０によれば、上記第２実施形態の効果（４）、（５）に準じた効果を奏することができる。
・上記各実施形態及び変形例では樹脂材料製の保持器について例示したが、保持器の材質はこれに限られるものではなく、金属材料等によって保持器を形成するようにしてもよい。
【００５９】
・上記第１実施形態では、断面横Ｖ字状をなす１つの保持器４３によって一対のローラ群を保持するようにした。また、上記第２実施形態及び変形例においても第１実施形態に準じた構成とした。しかしながら、本発明に係るローラユニットはこれに限られるものではなく、鉛直方向下側のローラ群を保持する保持器と、鉛直方向上側のローラ群を保持する保持器とを別体とすることもできる。
【００６０】
・上記第１実施形態では、インナレール２０及びスライドテーブル３０が断面横Ｖ字状をなす屈曲部２２、３２を有するものとした。そして、これら屈曲部２２、３２が一対の傾斜部２２ａ，２２ｂ，３２ａ，３２ｂによって構成されるものとした。また、上記第２実施形態及び変形例においても第１実施形態に準じた構成とした。しかしながら、本発明に係る一対の傾斜部は断面横Ｖ字状をなす屈曲部を構成するものに限られない。他に例えば、図１１に示すように、インナレール７２０の屈曲部７２２が、下側傾斜部７２２ａと、上側傾斜部７２２ｂと、これらの端部を接続するとともに上下方向に延びる接続部７２２ｃとによって構成されるようにしてもよい。また、スライドテーブル７３０の屈曲部７３２が、下側傾斜部７３２ａと、上側傾斜部７３２ｂと、これらの端部を接続するとともに上下方向に延びる接続部７３２ｃとによって構成されるようにしてもよい。またこの場合、ローラユニット７４０の保持器７４３を、これら下側傾斜部７２２ａ，７３２ａと、接続部７２２ｃ，７３２ｃと、上側傾斜部７２２ｂ，７３２ｂとによって区画される対向空間Ｓの断面形状に沿った形状とすればよい。
【００６１】
・上記第１実施形態では、インナレール２０の一対の傾斜部２２ａ，２２ｂとスライドテーブル３０の一対の傾斜部３２ａ，３２ｂとの対向空間にローラ群４１及び保持器４３がそれぞれ設けられる構成について例示した。また、上記第２実施形態及び変形例においても第１実施形態に準じた構成とした。しかしながら、本発明に係るスライド機構はこうした構成に限られるものではない。他に例えば、インナレールのいずれか一方の傾斜部と当該傾斜部に対向するスライドテーブルの傾斜部との対向空間にローラ群及び保持器が設けられるものであってもよい。すなわち、図１２に示すように、インナレール８２０及びスライドテーブル８３０は基本的には先の第２実施形態のインナレール２０及びスライドテーブル３０と同様な構造を有している（図７参照）。従って、第２実施形態と同一及び対応する構成に関しては百の位を「８」とした符号を付すことにより重複した説明を省略する。インナレール８２０の下側傾斜部８２２ａとスライドテーブル８３０の下側傾斜部８３２ａとの対向空間にローラ群８４１及び保持器８４３が設けられる一方、インナレール８２０の上側傾斜部８２２ｂとスライドテーブル８３０の上側傾斜部８３２ｂとの対向空間にはローラ群が設けられていない。また、インナレール８２０の延設部８２３において水平方向に沿って延びる部位と、同部位に対向するスライドテーブル８３０のテーブル本体８３１との対向空間には、ローラ群８４１及び保持器８４３が設けられている。
【符号の説明】
【００６２】
１…車両本体、２…シート装置、３…シート本体、４…昇降機構、５…ターンテーブル、１０，３１０，４１０，５１０，６１０，７１０，８１０…スライド機構、２０，３２０，４２０，７２０，８２０…インナレール（レール部材）、２１，３２１，４２１，７２１…レール本体、２２，３２２，４２２…屈曲部、２２ａ，３２２ａ，４２２ａ…下側傾斜部、２２ｂ，３２２ｂ，４２２ｂ…上側傾斜部、２３，３２３，４２３，７２３…延設部、３０，４３０，５３０，６３０，７３０，８３０…スライドテーブル（スライド部材）、３１，４３１，５３１，６３１，７３１…テーブル本体、３２，４３２，５３２，６３２，７３２…屈曲部、３２ａ，４３２ａ，５３２ａ，６３２ａ，７３２ａ…下側傾斜部、３２ｂ，４３２ｂ，５３２ｂ，６３２ｂ，７３２ｂ…上側傾斜部、４０，４４０，５４０，７４０，８４０…ローラユニット、４１…ローラ群、４１ａ…ローラ、４３，４４０，５４０，７４０，８４０…保持器、４４…下側部、４５…収容孔、４５ａ…内側面、４６…上側部、３５０，６５０…規制部材、３５１，６５１…屈曲部、３５２，６５２…延設部、３５３，６５３…折り返し部、５２０…アウタレール（レール部材）、５２１…レール本体、５２２…屈曲部、５２２ａ…下側傾斜部、５２２ｂ…上側傾斜部、５２３…延設部、６３３…延設部、７２２ｃ…接続部、７３２ｃ…接続部、Ｓ…対向空間。
【図１】
2014019330.tif 000003
【図２】
2014019330.tif 000004
【図３】
2014019330.tif 000005
【図４】
2014019330.tif 000006
【図５】
2014019330.tif 000007
【図６】
2014019330.tif 000008
【図７】
2014019330.tif 000009
【図８】
2014019330.tif 000010
【図９】
2014019330.tif 000011
【図１０】
2014019330.tif 000012
【図１１】
2014019330.tif 000013
【図１２】
2014019330.tif 000014